(57)【要約】【課題】片側が壁である側溝に取付けられる溝蓋において、壁にアンカーを打込んだり、コンクリートを増し打ちして段を形成するなど、現場での作業を必要とせず、また側溝の溝幅が狭くても取付け可能なグレーチングを提供する。【解決手段】グレーチング１は、側溝２の片側の側壁上縁に掛けられるアングル金具１４を一側に有し、他側の前後のコーナにナット５を固着し、長孔１１を備えた支持金具７がグレーチング１のコーナに下側より当てがわれ、ボルト１２を長孔１１を通してナット５に捩じ込むことにより長孔１１の範囲内で位置調整可能に止着され、支持金具７には構築物を構成する壁３に押付けられ固定される当て金８がヒンジ９にて傾動可能に軸着される。【選択図】図２
2018021393.tif 000002
【特許請求の範囲】
【請求項１】
片側が構築物の壁である側溝に取付けられる溝蓋であって、溝蓋は一側が側溝を構成する一方の側壁に取付手段によって取付けられると共に、他側に支持金具が取り付けられ、該支持金具には前記側壁と向かい合って構築物を構成し、側溝を構成する壁に当たって係止される当て金が取着されることを特徴とする溝蓋。
【請求項２】
前記当て金は支持金具に上下に傾動可能に軸着されることを特徴とする請求項１記載の溝蓋。
【請求項３】
溝蓋と支持金具のうち、少なくとも一方に前記構築物の壁を向く長孔が形成され、支持金具が溝蓋に前記長孔を通した止着具により位置調整可能に止着されることを特徴とする請求項１又は２記載の溝蓋。
【請求項４】
前記溝蓋は平行するベアリングバーと、該ベアリングバーと直交して配置されるツイストバーを有して格子状をなすグレーチングで、該グレーチングには上下の側面のうちの一方の側面に、ジグザグ又は波状をなす一定孔幅の規制孔を前記ベアリングバーに沿って形成した取付板が前記規制孔を前記ベアリングバーとツイストバーで囲まれる空間内に位置させて固着され、前記取付板に対応してグレーチングに取付けられる前記支持金具には、前記規制孔の中心線上に位置するピン孔が前記中心線上に一定間隔で形成され、前記規制孔の孔幅に相当する径を有するピンが前記規制孔及び前記ピン孔に嵌挿されることを特徴とする請求項３記載の溝蓋。
【請求項５】
前記取付板には、前記規制孔が位置する前記空間とベアリングバーを挟んで隣接する空間内に前記長孔が形成されることを特徴とする請求項４記載の溝蓋。
【発明の詳細な説明】
【技術分野】
【０００１】
本発明は、側溝用の溝蓋に関する。
【背景技術】
【０００２】
溝蓋にはコンクリート製の溝蓋、グレーチングその他金属製の溝蓋等が知られ、これら溝蓋は一般に側溝内側上縁の段状をなす受部或いは該受部に取着の受け金具に掛け渡して装着されるが、側溝の片側が構築物の壁で、受部ないし受け金具が存在しない場合、そのままでは溝蓋を取付けることができない。そこで溝蓋を取付ける際に従来は、構築物の壁にアンカーを打込んで溝蓋が掛けられるようにするか、或いは前記壁に沿ってコンクリートを増し打ちし、前記壁と段をなす受部を形成している。
【０００３】
構築物間に取付けられる溝蓋として下記特許文献１には、適宜の間隔を存する構築物の一方に溝蓋の一端をヒンジによって上下に傾動可能に連結すると共に、溝蓋の他端に設けた円形断面のロッドを他方の構築物の傾斜面に載置し、地震の揺れにより構築物間の間隔が変位しても溝蓋他端のロッドが傾斜面を変位することで対処できるようにした溝蓋が開示されている。
【先行技術文献】
【特許文献】
【０００４】
【特許文献１】特開平１１−１２４８９３号公報
【発明の概要】
【発明が解決しようとする課題】
【０００５】
溝蓋が取付けられていない側溝は、歩行者や自転車等の軽車両が落ち込む危険性があるため、溝蓋を取付けることが望まれるが、側溝の片側が構築物の壁で段状の受部を有しない場合、溝蓋取付けのため前記壁に従来工法のようなアンカーの打込みやコンクリートの増し打ち工事を行う際には、現場での作業となるが、この作業には手間がかかり、工事費も嵩む。そのうえ、構築物がコンクリート製である場合、コンクリートの壁面にアンカーを打込むためのコンクリートのハツリ作業が必要とされるが、側溝の溝幅が狭いと、コンクリートのハツリ作業を行うためのハンマーによる作業が行えず、施工不能となることがある。
【０００６】
また特許文献１に開示されるように、側溝の片側の構築物を構成する壁の勾配が緩ければ、溝蓋を置くだけで取付けることができるが、多くの構築物がそうであるように、側溝の片側の既存の壁が垂直か、垂直に近い急勾配である場合、そのままでは溝蓋の片側を支持することができない。
【０００７】
本発明は、側溝の片側が構築物の壁であっても前述するような現場での作業を必要とせずに取付けることができるグレーチング等の金属製溝蓋を提供することを目的とする。
【課題を解決するための手段】
【０００８】
請求項１に係る発明は、片側が構築物の壁である側溝に取付けられる溝蓋であって、溝蓋は一側が側溝を構成する一方の側壁に取付手段によって取付けられると共に、他側に支持金具が取り付けられ、該支持金具には前記側壁と向かい合って構築物を構成し、かつ側溝を構成する壁に当たって係止される当て金が取着されることを特徴とし、
請求項２に係る発明は、請求項１に係る発明において、前記当て金は支持金具に上下に傾動可能に軸着されることを特徴とする。
【０００９】
請求項３係る発明は、請求項１又は２に係る発明において、溝蓋と支持金具のうち、少なくとも一方に前記構築物の壁を向く長孔が形成され、支持金具が溝蓋に前記長孔を通した止着具により位置調整可能に止着されることを特徴とする。
【００１０】
請求項４に係る発明は、請求項３に係る発明において、前記溝蓋は平行するベアリングバーと、該ベアリングバーと直交して配置されるツイストバーを有して格子状をなすグレーチングで、該グレーチングには上下の側面のうち、好ましくは下側面にジグザグ又は波状をなす一定孔幅の規制孔を前記ベアリングバーに沿って形成した取付板が前記規制孔を前記ベアリングバーとツイストバーで囲まれる空間内に位置させて固着され、前記取付板に対応してグレーチングに取付けられる前記支持金具には、前記規制孔の中心線上に位置するピン孔が前記中心線上に一定間隔で形成され、前記規制孔の孔幅に相当する径を有するピンが前記規制孔及び前記ピン孔に嵌挿されることを特徴とし、
【００１１】
請求項５に係る発明は、請求項４に係る発明において、前記取付板には、前記規制孔が位置する前記空間とベアリングバーを挟んで隣接する空間内に前記長孔が形成されることを特徴とする。
【発明の効果】
【００１２】
請求項１に係る発明によると、側溝を構成する一方の側壁に一側が取付手段によって支持される溝蓋は、他側の当て金を壁面に当てることにより支持されるもので、構築物を構成する側溝の壁に何等加工をすることなく取付けることができ、構築物の壁に加工を必要としない分、作業工数を低減させることができるばかりでなく、側溝の溝幅や構築物を構成する側溝の他方の壁の勾配の如何にかかわらず、溝蓋の取付けが容易に行える。
【００１３】
請求項２に係る発明によると、当て金を構築物の壁の角度に合わせて傾けることにより、壁に密着して固定させることができる。
請求項３に係る発明によると、当て金を側溝の溝幅に応じて進退させて位置調整することにより、溝幅の如何に拘らずグレーチングをしっかりと固定することができる。
【００１４】
請求項４に係る発明によると、ピンを規制孔に通し、ピン孔に嵌挿させることにより、支持金具に止着される止着具と支持金具が長孔に沿って動くのが規制され、長孔の範囲内で位置調整された支持金具を調整位置に拘束した状態で固定することができる。
【００１５】
請求項５に係る発明によると、位置調整用の長孔を取付板に該取付板を利用して形成することができる。
【図面の簡単な説明】
【００１６】
【図１】本発明に係るグレーチングの平面図。
【図２】図１に示すグレーチングを片側が構築物の壁である側溝に取付けた状態を示す斜視図。
【図３】同正面図。
【図４】図１に示すグレーチングに取付けられた支持金具の平面図。
【図５】同正面図。
【図６】支持金具の別の態様の平面図。
【図７】取付板を取付けたグレーチングの要部の平面図。
【図８】取付板及び当て金付き支持金具を取り付けたグレーチングの要部の正面図。
【図９】同平面図。
【発明を実施するための形態】
【００１７】
以下、本発明の実施形態を図面により説明する。
図１は、溝蓋として用いられるグレーチング１の平面図、図２は、側溝２の一部を構成し、かつ構築物の壁、例えば家屋の一部を構成する壁３を備えた側溝２に図１に示すグレーチング１を取付けた状態を示す斜視図であり、図３は同正面図で、グレーチング１はこの種多くのグレーチングと同様、前後に定間隔で並ぶベアリングバー１ａと、各ベアリングバー１ａの一側端面に溶接にて固着され、後述のアングル金具１４と共に各ベアリングバー１ａを両側より挟み込む端板１ｂと、該端板１ｂと平行をなして各ベアリングバー１ａと直交し、左右方向に定間隔で配置されて各ベアリングバー１ａに固着されるツイストバー１ｃよりなっており、グレーチングの前後のコーナ部分における壁３側の最も端板寄りのツイストバー１ｃは、端から２番目と３番目のベアリングバー１ａ間のツイストバー１ｃを除き、その両側が切除されている。換言すれば端から３番目までの、ベアリングバー１ａ、端板１ｂ及びツイストバー１ｃで囲まれる３箇所の空間のうち、中央を除く両側の空間のツイストバー１ｃが切除されている。そしてツイストバー１ｃが切除された箇所のベアリングバー側面にはナット５が溶接にて固着されている。
【００１８】
図４及び図５に示す支持金具７は板状で、その一側に同じく板状をなす当て金８がヒンジ９により上下に傾動可能に軸着されていると共に、側溝２の一部を構成し、かつ構築物の一部を構成する壁３に向かい、該壁３と直交して上下に貫通する長孔１１が並んで３か所、平行に形成されている。この支持金具７は、壁側の前後のコーナのグレーチング裏側に長孔１１がベアリングバー間に位置するように当てがわれ、ボルト１２を支持金具７の各長孔１１を通して前記ナット５に捩じ込むことにより、支持金具７がグレーチング１の前後のコーナにおいてそれぞれ、２か所の長孔１１を介して連結して固定されるようになっている。
【００１９】
グレーチング１にはまた、端板１ｂと反対側に横部１４ａと縦部１４ｂより構成され、端板１ｂと共にベアリングバー１ａを挟み込む倒Ｌ形をなすアングル金具１４が横部１４ａを横向きに側方に突出させて溶接にて固着されている。
【００２０】
グレーチング１を側溝２に取付けるときには、前記構築物の壁３と向かい合って位置し、該壁３及び底壁と共に側溝２を形成する側壁１５の上縁にグレーチング一側のアングル金具１４の横部１４ａを掛け、グレーチング１の他側の当て金２を壁３に押し当てる。壁３に当てられた当て金２は、壁面３の勾配に合わせて傾動し、壁３に押付けられた状態で支持される。
【００２１】
一側がアングル金具１４により側壁１５上縁に支持されるグレーチング１を水平に向けたとき、壁３側の端板１ｂと壁３との間には当て金８が納まる程のスペースが最低限必要とされるが、このスペースは広すぎると、当て金８が壁３を滑り落ちるようになる。壁３の勾配が緩く、底壁に向かって溝幅が狭くなり滑り落ちが途中で止まることができるようになれば、グレーチング１は側溝２に壁３側が下がるように傾斜して支持されるようになる。グレーチング１が傾斜することなく水平となるように取付けるには、ボルト１２を弛め、支持金具５を長孔１１に沿って突出させる。そしてグレーチング１を水平にした状態で当て金８を壁面３に押し当て、ボルト１２を捩じ込み固着する。
【００２２】
グレーチング一側のアングル金具１４を側壁上縁に掛けてグレーチング１を片持ち梁状に支持した状態で支持金具５の位置調節をするのではなく、グレーチング取付箇所の溝幅を予め測っておき、側溝２の溝幅に合うように支持金具５の突出量を調節してからグレーチング１を側溝２に取付けることも可能である。
【００２３】
グレーチング１は上述するように、側溝に構築物の壁３に当てられた状態で支持されるが、グレーチング１を前記壁３に圧着し強固に固定するには、前述する支持金具５の調節により当て金２を壁３の勾配に合わせて傾け、壁面３に係止させてグレーチング１を若干傾斜した状態にして壁面側のグレーチング１を叩き込み、これにより当て金２を壁面３に圧着させるようにするとよい。グレーチング１は側溝への取付け状態で若干傾斜していても使用上差し支えはないが、グレーチング１を叩き込んで水平にしたい場合には、叩き込んだときの下がり代を見込んで支持金具５の突出量を増し、グレーチング１を壁３側が若干上向きとなるように側溝２に装着したのち、壁３側を叩き込んでグレーチング１を水平にするとよい。
【００２４】
前記実施形態では、グレーチング１の一側に固着したアングル金具１４の横部１４ａを側壁上縁に掛けることによりグレーチング一側を片持ち梁状に支持し、側壁上縁に掛けられるアングル金具１４がグレーチング一側の取付手段を構成するものとなっているが、取付手段はこれに限定されるものではなく、例えば側壁上縁のグレーチング一側が掛けられる段、ないし該段に装着の受け金具、或いはグレーチング１の側壁への装着に用いられる既知の種々の手段を用いることができる。
【００２５】
前記実施形態ではまた、当て金８は、支持金具７にヒンジ９にて軸着され、傾動可能に取付けられているが、壁面は構築物が家屋である場合、通常勾配を有するとしても垂直に近い急勾配で、ほぼ一定であることが多いことから、当て金８も軸着することなく垂直に近い一定の勾配で支持金具７に固着しておいてもよい。なおグレーチング１は、壁側が若干上向きに傾斜して取付けられ、当て金８の一部が壁３に当たり、壁３に全面で均一に当たっていなくても使用上差し支えない。
【００２６】
前記実施形態ではまた、支持金具５に長孔１１が形成され、該長孔１１を通してボルト１２がグレーチング１に固着のナット５に捩じ込まれることにより支持金具５がグレーチング１に位置調整可能に取付けられるようになっているが、グレーチング１に取付板を取付けて該取付板に長孔を形成し、ボルトを該長孔より前記支持金具５に形成の長孔１１或いは長孔１１に代えて形成した丸孔のボルト通し穴に通して支持金具５下に突出するボルト部分にナットを捩じ込み締着するようにしてもよい。この場合、ボルトは上記と逆に支持金具５の長孔１１或いはボルト通し孔より取付板の長孔に通し、取付板上でナットの捩じ込みにより締着することも可能である。
【００２７】
前記実施形態では更にまた、溝蓋としてグレーチング１を例示したが、コンクリート製の溝蓋やグレーチング以外の既知の金属製溝蓋であってもよい。前者のコンクリート製溝蓋の場合、溝蓋に取付金具が埋設され、支持金具が取付金具に前記と同様、位置調整可能に止着され、グレーチング以外の金属製溝蓋である場合、グレーチングと同様、支持金具が金属製溝蓋に取着される。またグレーチングが金属製でなく、例えばＦＲＰ製である場合であっても前述のコンクリート製溝蓋と同様、支持金具を取付けるための取付金具をインサート成形しておくことで使用可能である。グレーチングもまた、図示するようなベアリングバーとツイストバーと端板よりなるもの以外のグレーチングにも適用可能である。
【００２８】
図６〜図９は上記実施形態の別の態様を示すもので、支持金具１７は図６に示すように、前記実施形態の図４に示す支持金具７において、中央の長孔１１に代え、壁３に向かって一定間隔で後述のピンが嵌挿されるピン孔１８を形成すると共に、両側の長孔１１を丸孔のボルト通し孔１９としたものである。
【００２９】
グレーチング１の前後のコーナには、裏側に図７に示す取付板２１が溶接にて固着されている。この取付板２１は図示するように、両側に前記長孔１１と同径同大の長孔２２が壁３と直交する方向に形成されていると共に、長孔間にジグザグのｗ形をなす一定の孔幅の規制孔２３がその中心線ｏを壁３と直交する方向に向け、かつ前記ピン孔１８が前記中心線ｏ上に位置するように形成され、前記各長孔２２と長孔間の規制孔２３がそれぞれグレーチング１の壁３側、好ましくは前記壁側のコーナにおいて、グレーチング１を構成するベアリングバー１ａと端板１ｂ及びツイストバー１ｃで囲まれる空間１ｄ内に位置するように、すなわち図示するようにベアリングバー１ａで区切られて位置している。
【００３０】
図８及び図９は、前記支持金具１７のグレーチングコーナへの取付態様を示すもので、支持金具１７の取付けは、支持金具１７をグレーチング１に固着の取付板２１に当てがって、ボルト通し孔１９が取付板２１の長孔２２に合致するようにグレーチング１の端板１ｂより出し入れして位置調整したのち、ベアリングバー間の前記空間１ｄ内の長孔２２にボルト２５を上方より差込み、支持金具１７のボルト通し孔１９に通す。ついで長孔２２の範囲内で支持金具１７の端板１ｃよりの突出量を調整し、位置調整したのち、支持金具１７より突出するボルト端部にナット２６を捩じ込み、支持金具１７の位置調整を可能にした仮止め状態で、規制孔２３と合致するピン孔１８にピン２８を規制孔２３の上方より規制孔２３に通し、ピン孔１８に差込む。規制孔２３と完全に一致するピン孔１８がないときには、規制孔２３に最も近いピン孔１８が規制孔２３と一致するように支持金具１７を若干ずらせる。このずらしは僅かで、グレーチング取付けに支障を来たすことはない。
【００３１】
ピン２８は直径が規制孔２３の孔幅と同一で、規制孔２３に通し、ピン孔１８に嵌挿した状態で、図７に示す中心線ｏの方向の動きが拘束され、ピン２８が差込まれる支持板１７も長孔２２の範囲内の動きが規制される。この状態で次にボルト２３の突出部分にナット２５を捩じ込み、ついで図示しない六角レンチを用いてナット２５による締着を行う。
【００３２】
ボルトによる締着は、ボルトを支持金具１７の下方よりボルト通し孔１９、ついで取付板２１の長孔２２に通し、取付板２１より上向きに突出するボルト突出部分にナットを捩じ込み締着することも可能である。上述するようにしてナット２５による締着を行い、支持金具１７を固定後、グレーチング１を側溝２に前述するようにして取付ける。
【００３３】
側溝２へのグレーチング１取付後、例えボルト２３或いはナット２５が弛むようなことがあったとしてもピン２８がピン孔１８に嵌挿して位置規制されているため、支持板１７がグレーチング内に引き込み、これによりグレーチング１が側溝内に脱落することはない。
本実施形態においてもグレーチング以外の金属製溝蓋に適用可能である。
【符号の説明】
【００３４】
１・・グレーチング
２・・側溝
３・・壁
５・・ナット
７、１７・・支持金具
８・・当て金
９・・ヒンジ
１１、２２・・長孔
１２・・ボルト
１４・・アングル金具
１５・・側壁
１８・・ピン孔
１９・・ボルト通し孔
２１・・取付板
２３・・規制孔
２５・・ボルト
２６・・ナット
２８・・ピン
【図１】
2018021393.tif 000003
【図２】
2018021393.tif 000004
【図３】
2018021393.tif 000005
【図４】
2018021393.tif 000006
【図５】
2018021393.tif 000007
【図６】
2018021393.tif 000008
【図７】
2018021393.tif 000009
【図８】
2018021393.tif 000010
【図９】
2018021393.tif 000011